(57)【要約】【課題】接続されたベルト同士が重合しないようにし、また、係止ピンによる怪我等のおそれをなくし、しかも、使用者の名前等を表示できるようにした鞄類用マチ幅調整ベルトの尾錠の提供。【解決手段】平面長方形の主板１３が、その両側長辺に沿って一対の側壁１４，１５を裏面側に垂下させていて、その主板１３の長手方向一側に、上記一対の側壁１４，１５の延長部分１４’，１５’の外端に外杆１６を横架してなるベルト巻回部１７が連設され、また、上記主板１３の長手方向他側に、上記一対の側壁１４，１５を裏面側に窪ませて逆ヘ字状にして延長した延長部分１４”，１５”の外端に外杆１９を横架するとともに、上記窪ませた部分に、表面側に係止ピン２０を立設した係止杆２１を横架してなるベルト係止部２２が連設され、上記主板１３の裏面側には扁平空処２５が形成されている鞄類用マチ幅調整ベルトの尾錠。【選択図】  図６
2004267550.tif 000002
【特許請求の範囲】
【請求項１】
平面長方形の主板が、その両側長辺に沿って一対の側壁を裏面側に垂下させていること、その主板の長手方向一側に、上記一対の側壁の延長部分の外端に外杆を横架して、その外杆と上記主板との間にベルト挿通長孔を形成してなるベルト巻回部が連設されていること、上記主板の長手方向他側に、上記一対の側壁を裏面側に窪ませて逆ヘ字状にして延長した延長部分の外端に外杆を横架するとともに、上記窪ませた部分に、表面側に係止ピンを立設した係止杆を横架して、上記外杆と係止杆の間および係止杆と主板との間に、２つのベルト挿通長孔を形成してなるベルト係止部が連設されていること、および、上記主板の裏面側に、上記一対の側壁に囲繞されるとともに、ベルト巻回部の上記ベルト挿通長孔およびベルト係止部の係止杆と主板の間の上記ベルト挿通長孔に連通し、かつ下面を開口した扁平空処が形成されていることを特徴とする鞄類用マチ幅調整ベルトの尾錠。
【請求項２】
上記主板の表面に任意の文字，図形，記号，色彩等を表示してなることを特徴とする請求項１記載の鞄類用マチ幅調整ベルトの尾錠。
【請求項３】
上記表示が、プレートの取付け，シールの貼付，刻印，レーザーマーキング、，印刷，エッチング等により行われていることを特徴とする請求項２記載の鞄類用マチ幅調整ベルトの尾錠。
【請求項４】
上記主板の表面に反射材を取り付けてなることを特徴とする請求項１記載の鞄類用マチ幅調整ベルトの尾錠。
【発明の詳細な説明】
【０００１】
【発明の属する技術分野】
本発明は、鞄類のマチ幅を調整する鞄類用マチ幅調整ベルトの尾錠に関する。
【０００２】
【従来の技術】
鞄類用のマチ幅調整ベルトとしては、たとえば図８に示すように、ランドセルの筐体１と前ポケット部２に巻回させて取り付けられたものが知られている（たとえば、特許文献１参照。）。
【０００３】
【特許文献１】
登録実用新案第３００５５２９号公報（図１）
【０００４】
このマチ幅調整ベルト３は、先端に尾錠４を取り付けた尾錠側ベルト５と、先端に小孔６…を列設した挿通側ベルト７からなるもので、各々の基端側を上記筐体１の両側面にリベット等の手段で固着するとともに、互いの先端を上記前ポケット部２の前面側で、上記尾錠４によって接続している。
【０００５】
その尾錠４は、枠体８の中央杆９に係止ピン１０を回動自在に枢支してなり、上記中央杆９に上記尾錠側ベルト５の先端を巻回させることによって、該尾錠側ベルト５に取り付けられるようになっているものと認められ（図７）、それは、上記挿通側ベルト７の先端を上記枠体８に挿通させ、上記係止ピン１０を該挿通側ベルト７の小孔６…のいずれかに差し込んで、マチ幅調整ベルト３を適当な長さにすることによって、上記前ポケット部２のマチ幅の調整を行えるようになっている。
【０００６】
【発明が解決しようとする課題】
しかし、上記尾錠側ベルト５と挿通側ベルト７とは、前者の上に、枠体８に挿通した後者の先端が重合された状態で接続され、その重合している部分が相当の厚みを有するので体裁が悪い。
また、この種のマチ幅調整ベルトは、締付け力が緩むのに伴って小孔６に差し込まれている尾錠４の係止ピン１０が外方に起立した状態となって、危険で、使用者が怪我をするおそれもあった。
【０００７】
そこで、本発明は、接続されたベルト同士が重合しないようにして体裁を良くし、しかも、係止ピンによる怪我のおそれをなくした鞄類用マチ幅調整ベルトの尾錠の提供を目的とする。
また、その尾錠に、キャラクター，ロゴ，使用者の名前等を表示できるようにすることをも目的とする。
【０００８】
【課題を解決するための手段】
請求項１記載の本発明鞄類用マチ幅調整ベルトの尾錠は、平面長方形の主板１３が、その両側長辺に沿って一対の側壁１４，１５を裏面側に垂下させていて、その主板１３の長手方向一側に、上記一対の側壁１４，１５の延長部分１４’，１５’の外端に外杆１６を横架して、その外杆１６と上記主板１３との間にベルト挿通長孔１８を形成してなるベルト巻回部１７が連設され、また、上記主板１３の長手方向他側に、上記一対の側壁１４，１５を裏面側に窪ませて逆ヘ字状にして延長した延長部分１４”，１５”の外端に外杆１９を横架するとともに、上記窪ませた部分に、表面側に係止ピン２０を立設した係止杆２１を横架して、上記外杆１９と係止杆２１の間および係止杆２１と主板１３との間に、２つのベルト挿通長孔２３，２４を形成してなるベルト係止部２２が連設され、上記主板１３の裏面側には、上記一対の側壁１４，１５に囲繞されるとともに、ベルト巻回部１７の上記ベルト挿通長孔１８およびベルト係止部２２の係止杆２１と主板１３の間の上記ベルト挿通長孔２４に連通し、かつ下面を開口した扁平空処２５が形成されている。
【０００９】
請求項２記載の本発明は、上記主板１３の表面に任意の文字，図形，記号，色彩等を表示してなる請求項１記載の鞄類用マチ幅調整ベルトの尾錠である。
【００１０】
請求項３記載の本発明は、上記表示が、プレートの取付け，シールの貼付，刻印，レーザーマーキング，印刷，エッチング等により行われている請求項２記載の鞄類用マチ幅調整ベルトの尾錠である。
【００１１】
請求項４記載の本発明は、上記主板１３の表面に反射材を取り付けてなる請求項１記載の鞄類用マチ幅調整ベルトの尾錠である。
【００１２】
【発明の実施の形態】
以下、本発明を図示の一実施形態について説明する。
【００１３】
１１は鞄類用マチ幅調整ベルトの尾錠（以下、単に「尾錠」という）で、それは、鞄類のマチ幅を調整するためのマチ幅調整ベルトを構成する一対のベルトのうち、一方の尾錠側ベルト１２ａの先端に取り付けられ、他方の挿通側ベルト１２ｂの先端を挿通し、全体の長さを適宜調整してそれらを接続するものである（図６）。
【００１４】
その尾錠１１は、平面長方形の主板１３の両側長辺に沿って一対の側壁１４，１５を裏面側に垂下させるとともに、上記側壁１４，１５を表面側に傾斜をつけ先細りにして延長した延長部分１４’，１５’の外端に外杆１６を横架してなるベルト巻回部１７を、その主板１３の長手方向一側に連設している。そのベルト巻回部１７の上記外杆１６と上記主板１３との間には、ベルト挿通長孔１８が形成されている。
【００１５】
また、上記主板１３の長手方向他側には、上記側壁１４，１５を裏面側に窪ませて逆ヘ字状にして延長した延長部分１４”，１５”の外端に外杆１９を横架するとともに、上記窪ませた部分に、係止ピン２０を立設した係止杆２１を横架してなるベルト係止部２２が連設されている。
そのベルト係止部２２の上記外杆１９と係止杆２１の間および係止杆２１と上記主板１３との間には、２つのベルト挿通長孔２３，２４が形成されている。
【００１６】
ベルト巻回部１７の上記外杆１６と、ベルト係止部２２の係止杆２１とは、側面から見ると上記主板１３の裏面側にずれたところに位置しているので（図４）、上記主板１３の裏面側には、それら外杆１６，係止杆２１および上記側壁１４，１５に囲繞されるとともに、ベルト巻回部１７の上記ベルト挿通長孔１８およびベルト係止部２２の上記ベルト挿通長孔２４に連通し、かつ下面を開口した扁平空処２５が形成されている。
【００１７】
上記主板１３の表面には、使用者の名前，キャラクターの絵柄，ブランドのロゴ等、任意の文字，図形，記号，色彩等の表示をすることができる。
その表示は、別途作製したプレートを粘着シートや面ファスナー、リベット等で取り付けたり、シールを貼付することによって、あるいは、上記主板１３に直接、刻印，レーザーマーキング，印刷，エッチング等をすることによって行うことができる。
【００１８】
使用者は、好みに応じて上記の表示を行うことができるので、鞄類の個性化を図るのに好適である。特に、シール貼付等の手段により表示を行う場合には、そのシールを交換することによって、表示の変更が容易に行える。
【００１９】
また、上記尾錠１１が鞄の外面に配置される場合には、主板１３表面に反射材を取り付けるのも好ましい。これにより、夜間であっても目立つようにすることができるので使用者の安全を図ることができる。
【００２０】
上記構成の尾錠１１は、一対の尾錠側ベルト１２ａと挿通側ベルト１２ｂを、以下のようにして接続する。
まず、上記尾錠側ベルト１２ａの先端を上記尾錠１１の上記ベルト挿通長孔１８に挿通して外杆１６に巻回し、リベット２６で止着することにより、該尾錠側ベルト１２ａの先端にその尾錠１１を取り付けておく。
【００２１】
次に、上記挿通側ベルト１２ｂの先端所要長さを、上記尾錠１１の裏面側から上記ベルト挿通長孔２３に挿通し、さらに、上記係止杆２１の表面側を通してベルト挿通長孔２４を通じ扁平空処２５に受入させる。
そして、その挿通側ベルト１２ｂを、その先端に列設されている小孔２７…の所望のものを上記係止ピン２０に嵌合させて該尾錠１１に係止する。
これにより、マチ幅調整ベルト全体を所望の長さにして、挿通側ベルト１２ｂと尾錠側ベルト１２ａとが接続され、それを取り付けた鞄のマチ幅を調整することができる。
【００２２】
上記挿通側ベルト１２ｂは、上記主板１３の裏側の扁平空処２５にその先端所要長さを受入させた状態で尾錠１１に係止されることによって、上記尾錠側ベルト１２ａと接続されており、該尾錠側ベルト１２ａと互いに重合しないので、従来の尾錠のように、それらが重合して厚さが増すということがなく、体裁が良い。
なお、挿通側ベルト１２ｂの先端側が尾錠側ベルト１２ａに重合するほど長く余ってしまう場合には、その部分を切断して上記扁平空処２５に収まる長さにしておけばよい。
【００２３】
また、上記係止ピン２０を備えた係止杆２１は、側壁１４，１５の延長部分１４”、１５”の裏面側に窪んだ部分に横架されているので、上記係止ピン２０は表面側に大きく突出していない。したがって、これによる怪我のおそれが少ない。
【００２４】
なお、上記では、マチ幅調整ベルトが尾錠側ベルト１２ａと挿通側ベルト１２ｂの一対のベルトからなる場合を例にとり、それらを接続する場合について説明したが、１本のベルトの基端に上記尾錠１１を、その外杆１６に上記基端を巻回させて取り付けておき、そのベルトの先端に小孔を列設し、該先端を上記尾錠１１のベルト挿通長孔２３，２４に挿通し係止ピン２０に上記小孔を嵌合させることにより、該ベルトを環状にしてその基端と先端を接続できること明らかである。
【００２５】
【発明の効果】
以上述べたところから明らかなように、本発明鞄類用マチ幅調整ベルトの尾錠によれば次の効果を奏する。
平面長方形の主板が、その両側長辺に沿って一対の側壁を裏面側に垂下させていて、その主板の長手方向一側に、上記一対の側壁の延長部分の外端に外杆を横架して、その外杆と上記主板との間にベルト挿通長孔を形成してなるベルト巻回部が連設され、また、上記主板の長手方向他側に、上記一対の側壁を裏面側に窪ませて逆ヘ字状にして延長した延長部分の外端に外杆を横架するとともに、上記窪ませた部分に、表面側に係止ピンを立設した係止杆を横架して、上記外杆と係止杆の間および係止杆と主板との間に、２つのベルト挿通長孔を形成してなるベルト係止部が連設され、上記主板の裏面側には、上記一対の側壁に囲繞されるとともに、ベルト巻回部の上記ベルト挿通長孔およびベルト係止部の係止杆と主板の間の上記ベルト挿通長孔に連通し、かつ下面を開口した扁平空処が形成されているので、挿通側ベルトの先端側所要長さを、主板の裏面側に形成された扁平空処に受入させて、挿通側ベルトと尾錠側ベルトとを互いに重合させずに接続することができ体裁が良い。
また、上記係止ピンが、表面側に大きく突出ししないので、係止ピンによる怪我のおそれが少ない。
【００２６】
また、使用者の好みに応じて、主板の表面に任意の文字，図形，記号，色彩等の表示をすることができる。その表示は、シールの貼付等の方法によって行えば、容易に変更することができる。
また、上記主板の表面に反射材を取り付ければ、夜間でも目立つので使用者の安全に役立つ。
【図面の簡単な説明】
【図１】本発明の一実施形態に係る鞄類用マチ幅調整ベルトの尾錠の平面図である。
【図２】同上の底面図である。
【図３】同上の側面図である。
【図４】図１のＩ−Ｉ線断面図である。
【図５】図１のＩＩ−ＩＩ線断面図である。
【図６】上記尾錠の使用状態を示した斜視図である。
【図７】従来のマチ幅調整ベルトの平面図である。
【図８】上記従来のマチ幅調整ベルトを取り付けたランドセルの斜視図である。
【符号の説明】
１１        鞄類用マチ幅調整ベルトの尾錠
１３        主板
１４，１５  側壁
１４’，１５’、１４”，１５”  延長部分
１６，１９  外杆
１７        ベルト巻回部
１８，２３，２４    ベルト挿通長孔
２０        係止ピン
２１        係止杆
２２        ベルト係止部
２５        扁平空処
【図１】
2004267550.tif 000003
【図２】
2004267550.tif 000004
【図３】
2004267550.tif 000005
【図４】
2004267550.tif 000006
【図５】
2004267550.tif 000007
【図６】
2004267550.tif 000008
【図７】
2004267550.tif 000009
【図８】
2004267550.tif 000010